(57)【特許請求の範囲】
【請求項１】
天井側に固定のアウターレールに対し引戸上に取り付けるインナーレールを、ボールリテーナで保持した多数のボールを介してスライド自在に係合させて引戸を開閉方向へ移動自在に吊持する上吊り引戸用スライドレール装置において、
前記アウターレールの一端又は両端側で所定距離範囲だけ引戸開閉方向へ摺動可能に前記アウターレールに摺接させて下向きに保持する第１マグネットと、
前記インナーレールの一端又は両端で上向きに固持する第２マグネットとを備え、
引戸が開位置又は閉位置に近づいたとき、前記インナーレールを、前記アウターレールに対し互いの前記マグネットが吸着した状態でスライドさせる構成としてなることを特徴とする、上吊り引戸用スライドレール装置。
【請求項２】
前記アウターレールに、前記第１マグネットを吸着して所定の制動開始位置に保持する磁性ストッパ片を設ける一方、
引戸が開位置又は閉位置に近づいたとき、前記第２マグネットが前記制動開始位置に到達すると、前記第１マグネットと吸着し合い、互いの吸着力で該第１マグネットを前記磁性ストッパ片から引き離すと共に、前記アウターレールとの間の磁力に抗して摺動して前記インナーレールのスライド動作に制動力を付与する構成としてなることを特徴とする、前記請求項１に記載の上吊り引戸用スライドレール装置。
【請求項３】
前記第１マグネットは、前記アウターレールで磁性シール材を介して引戸開閉方向へ摺動可能に保持する一方、
前記アウターレールには、前記第１マグネットを引戸の開位置又は閉位置へ引き寄せる方向に付勢する付勢ばねと、その付勢ばねに抗して前記第１マグネットを吸着して所定の引き寄せ開始位置に保持する固定磁性片とを設け、
引戸が開位置又は閉位置に近づいて前記第２マグネットが前記引き寄せ開始位置に到達すると、前記第１マグネットと吸着し合い、互いの吸着力で該第１マグネットを前記固定磁性片から引き離すと共に、前記付勢ばねにより前記インナーレールを引き寄せる構成としてなることを特徴とする、前記請求項１に記載の上吊り引戸用スライドレール装置。
【発明の詳細な説明】
【技術分野】
【０００１】
本発明は、固定のアウターレールに対し引戸上のインナーレールを、ボールリテーナで保持した多数のボールを介してスライド自在に係合させて引戸を開閉方向へ移動自在に吊持する上吊り引戸用スライドレール装置に関する。
【背景技術】
【０００２】
一般に、引戸をスライドさせて開閉するとき、その勢いで引戸が戸枠に衝突し、操作者が指を詰めたりする事故が発生しやすく、また、引戸が衝突の反動ではね返って戻ったり、建物の歪みなどが原因でスライドレールに傾きを生じ、開閉時に引戸が自重で自然に戻ったり、中途半端に開け放し状態になったりする弊害が問題になっている。
【０００３】
そこで、従来、これら弊害の発生を防止するために、ラックとピニオン機構と、ピニオンのギヤ軸に連結して減速するロータリーオイルダンパーとで構成した専用のブレーキ装置を搭載し、このブレーキ装置を作動させて引戸の開閉移動を減速する構成にしている（例えば特許文献１参照）。また、引戸装置の中には、専用のブレーキ装置として、引戸の閉時に作動するエアポンプ式のエアブレーキを搭載したものもある（例えば特許文献２参照）。
【特許文献１】実開平５−４２５６４号公報
【特許文献２】特開平８−３３３９４８号公報
【発明の開示】
【発明が解決しようとする課題】
【０００４】
ところが、従来では、別途に専用のブレーキ装置を搭載する構成であるため、それだけ設置スペースが余計に必要になり装置が大型化する一方で、そこを正面側から幕板で目隠しする必要があるほど、美的外観上、引戸周りの見栄えが良くないという課題があった。さらには、専用にブレーキ装置が余計に必要になる分だけ、コストが高くなるという課題があった。
【課題を解決するための手段】
【０００５】
そこで、上述した課題を解決すべく、請求項１に記載の発明は、たとえば以下に示す図示実施の形態のとおり、天井側に固定のアウターレール１に対し引戸Ｄ上に取り付けるインナーレール２を、ボールリテーナ３で保持した多数のボール６を介してスライド自在に係合させて引戸Ｄを開閉方向へ移動自在に吊持する上吊り引戸用スライドレール装置Ｒ・Ｒ´において、前記アウターレール１の一端又は両端側で所定距離範囲だけ引戸開閉方向へ摺動可能に前記アウターレール１に摺接させて下向きに保持する第１マグネット１０と、前記インナーレール２の一端又は両端で上向きに固持する第２マグネット１２とを備え、引戸Ｄが開位置又は閉位置に近づいたとき、前記インナーレール２を、前記アウターレール１に対し互いの前記マグネット１０・１２が吸着した状態でスライドさせる構成としてなることを特徴とする。
【０００６】
請求項２に記載の発明は、請求項１に記載の上吊り引戸用スライドレール装置Ｒにおいて、たとえば以下に示す図示実施の形態のとおり、前記アウターレール１に、前記第１マグネット１０を吸着して所定の制動開始位置に保持する磁性ストッパ片１ｃを設ける一方、引戸Ｄが開位置又は閉位置に近づいたとき、前記第２マグネット１２が前記制動開始位置に到達すると、前記第１マグネット１０と吸着し合い、互いの吸着力で該第１マグネット１０を前記磁性ストッパ片１ｃから引き離すと共に、前記アウターレール１との間の磁力に抗して摺動して前記インナーレール２のスライド動作に制動力を付与する構成としてなることを特徴とする。
【０００７】
請求項３に記載の発明は、請求項１に記載の上吊り引戸用スライドレール装置Ｒ´において、たとえば以下に示す図示実施の形態のとおり、前記第１マグネット１０は、前記アウターレール１で磁性シール材２０を介して引戸開閉方向へ摺動可能に保持する一方、前記アウターレール１には、前記第１マグネット１０を引戸Ｄの開位置又は閉位置へ引き寄せる方向に付勢する付勢ばね２１と、その付勢ばね２１に抗して前記第１マグネット１０を吸着して所定の引き寄せ開始位置に保持する固定磁性片１ｄとを設け、引戸Ｄが開位置又は閉位置に近づいて前記第２マグネット１２が前記引き寄せ開始位置に到達すると、前記第１マグネット１０と吸着し合い、互いの吸着力で該第１マグネット１０を前記固定磁性片１ｄから引き離すと共に、前記付勢ばね２１により前記インナーレール２を引き寄せる構成としてなることを特徴とする。
【発明の効果】
【０００８】
請求項１に記載の上吊り引戸用スライドレール装置によれば、（１）ブレーキ装置など大型の装置を別途に外付けするのではなく、小片のマグネットを使用し、そのマグネットを、薄肉なスライドレール自体の中に内設する構成であるため、装置用の余計な設置スペースを引戸などの戸体周りになくすことができ、しかも、戸体周りをスッキリさせて美観性を高め、見栄えをよくする一方、専用装置が不必要な分だけ飛躍的にコストを削減することができる。また、（２）引戸が開位置又は閉位置に近づいたとき、第１および第２マグネットが吸着し合い、その吸着状態のまま第１マグネットをアウターレールとの間の磁力に抗して摺動し、これに従ってインナーレールを減速しながらスライドさせて引戸を制動状態でゆっくり閉止する。閉止後は、アウターレールに対しインナーレールを互いのマグネットで吸着して連結し、引戸を閉位置又は開位置のまま保持する。これにより、引戸の開閉時、操作者が指を詰めたりする事故の発生を阻止し、また、反動で引戸がはね返って戻ったり、閉止後の引戸周りの傾斜が原因して自重で戻ったり、中途半端に開け放し状態になったりする弊害の発生を防止することができる。
【０００９】
加えて、請求項２に記載の上吊り引戸用スライドレール装置によれば、引戸が開位置又は閉位置に近づいたとき、第２マグネットが制動開始位置に到達すると、第１および第２マグネットが吸着し合い、互いの吸着力で第１マグネットを磁性ストッパ片から引き離し、第２マグネットと吸着状態のままアウターレールとの間の磁力に抗して板面を擦りながら摺動し、これに従ってインナーレールを減速しながらスライドさせて引戸を制動状態でゆっくり閉止する。閉止後は、アウターレールに対しインナーレールを互いのマグネットで吸着して連結し、引戸を閉位置又は開位置のまま保持する。これにより、引戸の開閉時、操作者が指を詰めたりする事故の発生を阻止し、また、反動で引戸がはね返って戻ったり、閉止後の引戸周りの傾斜が原因して自重で戻ったり、中途半端に開け放し状態になったりする弊害の発生を防止することができる。
【００１０】
さらに、請求項３に記載の上吊り引戸用スライドレール装置によれば、引戸が開方向又は閉位置へ近づいたとき、第２マグネットが引き寄せ開始位置に到達すると、第１マグネットと吸着し合い、互いの吸着力で第１マグネットを固定磁性片から引き離し、第２マグネットと吸着状態のまま磁性シール材を介して摺動すると同時に、付勢ばねによって引き寄せられ、これに従ってインナーレールは、引き寄せ開始位置から閉方向へ移動し、引戸を閉位置へ強制的に引き寄せて閉止する。これにより、引戸を、中途半端に半開きの開け放し状態になったりすることがなく、常に確実に閉止することができる。閉止後は、アウターレールに対しインナーレールを互いのマグネットで吸着して連結し、引戸を閉位置のまま保持する。従って、引戸を閉止したとき、戸枠から反動で引戸がはね返って戻ったり、閉止後の引戸周りの傾斜が原因して自重で戻ったりする弊害の発生も防止することができる。
【発明を実施するための最良の形態】
【００１１】
以下、図面を参照しつつ、本発明の実施の形態について説明する。
【００１２】
本発明は、引戸をスライドレールを用いてスライド移動させるとき、操作者が指を詰めたりする事故の発生を阻止したり、閉止後に反動ではね返って戻ったり、傾斜が原因で重力で戻ったり、中途半端に開け放し状態になったりする弊害の発生を防止する目的を、別途に大型なブレーキ装置などを搭載することなく、小片のマグネットを使用し、そのマグネットをスライドレール自体の中に組み込む構成によって実現した。
【実施例１】
【００１３】
図１〜図４に、本発明の一例であるスライドレール装置Ｒを引戸Ｄ上に組み付けた引戸構造体を示す。スライドレール装置Ｒは、レール体ｒと、レール体ｒを引戸Ｄに取り付ける取付組立体ａとを備える。レール体ｒは、アウターレール１と、インナーレール２と、ボールリテーナ３を備えてなる。
【００１４】
アウターレール１は、帯状の金属プレートをプレスで成形し、平らな取付板部１ａの両側縁を互いに向き合う内向きに湾曲させて、そこにボールガイド部１ｂを形成し、取付板部１ａに、天井側の支持体Ｗに対する固定用ねじの貫通穴４…を複数設けている。インナーレール２は、アウターレール１の長さに所定の開閉ストロークの距離を差し引いた長さサイズの帯状金属プレートを用いてプレスで成形し、中央で断面略コ形状に屈曲させた取付部２ａの両側縁を互いに離れる外向きに湾曲させて、そこにボールガイド部２ｂを形成してなる。リテーナ３は、長尺な金属プレートを用いて曲げ成形し、平行なリテーナ本体部５・５に、コ状に屈曲させた多数の支持片部５ａ…を連設し、各支持片部５ａにそれぞれ保持穴を形成し、それら保持穴にそれぞれ金属製の小径ボール６を嵌着して転動自在に保持してなる。
【００１５】
そして、リテーナ３を、アウターレール１に対し、保持したボール６を左右のボールガイド部１ｂに係合して嵌入し、次いで、インナーレール２を、左右のボールガイド部２ｂをボール６に係合してリテーナ３内に嵌入し、該リテーナ３を介してアウターレール１に相対的に摺動可能に嵌合し、１つのレール体ｒを組み立てる。斯かるレール体ｒは、インナーレール２を摺動させると、ボール６…が両レール１・２間で転動し、それらボール６に押されてリテーナ３がアウターレール１に対して所定開閉ストロークの略１／２分だけ移動すると同時に、一方で、インナーレール２がアウターレール１に対し所定開閉ストロークだけ相対移動するように設定されている。
【００１６】
ところで、図示スライドレール装置Ｒには、斯かる構成のレール体ｒ内の、例えば戸先側端部に引戸Ｄの制動機構Ａが組み込まれている。
【００１７】
制動機構Ａは、アウターレール１の取付板部１ａにおいて、その戸先側端部を一部下向きに切り曲げて磁性ストッパ片１ｃを垂下した構成にしている。磁性ストッパ片１ｃの垂下位置は、引戸Ｄの閉時、その閉位置までの制動範囲Ｌを規定する制動開始位置に相当し、引戸重量や付設の取っ手がハンドル構造か引き手構造かなど、引戸の種類に応じて設定される。また、磁性ストッパ片１ｃには、図示の如く引戸Ｄが開放状態にあるとき、第１マグネット１０を、その戸尻側端面を吸着させて制動開始位置に位置決め保持している。第１マグネット１０は、直方体状小片の永久磁石で、戸尻側端面をストッパ片１ｃの戸先側板面に吸着させると共に、磁石上面がアウターレール１の取付板部１ａに直接接触するように樹脂製保持枠１１で握持して取付板部１ａの下面に吸着させている。そのため、保持枠１１は、第１マグネット１０が上下両面と戸尻側端面を露出状態で保持されるように、コ形枠状に形成されている。
【００１８】
一方、インナーレール２には、取付部２ａの戸先側端部内に、第１マグネット１０と略同形状の第２マグネット１２を嵌め込んで上向きに固持している。
【００１９】
ここで、スライドレール装置Ｒを用いて引戸Ｄを天井側に取り付ける場合は、レール体ｒを横向きに寝かせて配置し、インナーレール２の取板部２ａを、取付組立体ａを用いて引戸Ｄの上框面１４に固定する一方、アウターレール１の取付板部１ａを、天井側の支持体Ｗに固定してレール体ｒを水平に横付けする。これにより、引戸Ｄは、支持体Ｗでスライドレール装置Ｒを介して開口部Ｓの開閉方向へスライド自在に吊設される。
【００２０】
さて、以上の如く構成したスライドレール装置Ｒでは、取っ手を持って引戸Ｄを閉方向へ移動するとき、引戸Ｄの移動と一体にインナーレール２がアウターレール１に対しスライドすると、ボール６…が転動し、それらボール６に押されてリテーナ３がインナーレール２に対し略１／２の速度で遅れながら移動する。
【００２１】
そして図４に示すように引戸Dが閉位置へと近づき、しかる後、インナーレール２上の第２マグネット１２が制動範囲Ｌの制動開始位置に到達すると、図５および図６に示すように、両マグネット１０・１２が吸着し合う。すると、互いの吸着力で、第１マグネットが磁性ストッパ片１ｃから引き離され、第２マグネット１２と吸着状態のまま、アウターレール１との間の磁力に抗して取付板部１ａの板面を擦りながら摺動する。したがって、インナーレール２は、制動開始位置から減速され始め、ブレーキがかかった状態で制動範囲Ｌをゆっくり移動する。したがって、引戸Ｄは、図７および図８に示すように、制動状態で戸枠１５にソフトに当たって閉止する。閉止後、スライドレール装置Ｒでは、アウターレール１に対しインナーレール２をマグネット１０・１２で吸着して連結し、引戸Ｄを閉位置のまま保持する。
【００２２】
従って、引戸Ｄを閉止したとき、操作者が指を詰めたりする事故の発生が阻止され、また、反動で引戸Ｄがはね返って戻ったり、閉止後の引戸周りの傾斜が原因して自重で戻ったり、中途半端に開け放し状態になったりする弊害の発生が防止される。
【００２３】
なお、図示例のスライドレール装置Ｒは、レール体ｒ内の戸先側端部に制動機構Ａを組み込んだ構成であった。しかし、本発明は、レール体ｒ内の戸先側と戸尻側の端部にも、制動機構Ａを組み込む構成とし、引戸Ｄが開方向へ移動して開位置に近づいたときは、引戸Ｄを減速し、制動状態で戸当りにソフトに当たって全開させることもできる。勿論、レール体ｒ内の戸尻側端部にのみ制動機構Ａを組み込むこともできる。
【実施例２】
【００２４】
さて次に、本発明の他の実施例を説明する。図９〜図１２に、本発明による他例のスライドレール装置Ｒ´を引戸Ｄ上に組み付けた引戸構造体を示す。
【００２５】
スライドレール装置Ｒ´には、レール体ｒ内の、例えば戸先側端部に、上記制動機構Ａに代えて引戸Ｄの引き寄せ機構Ｂが組み込まれている。スライドレール装置Ｒ´は、引き寄せ機構Ｂを除き、その他の構造は、実施例１のものと同一であるとする。よって、図示他例では、同一構造の部品ないし部位には、実施例１のものと同じ符号を付して以下に説明する。
【００２６】
引き寄せ機構Ｂは、アウターレール１の取付板部１ａにおいて、その戸先側端部を一部下向きに切り曲げて、引き寄せ移動範囲Ｅを規定する引き寄せ開始位置に相当する位置に、固定磁性片１ｄを垂下して形成している。固定磁性片１ｄには、図示の如く引戸Ｄが開放状態にあるとき、第１マグネット１０を、その戸尻側端面を吸着させて引き寄せ開始位置に位置決め保持している。第１マグネット１０は、戸尻側端面を固定磁性片１ｄの戸先側板面に吸着させる一方、磁石上面における励磁作用を遮断すべく磁性シール材２０で固持し、取付板部１ａの下面に磁性シール材２０を介して摺接させている。そのため、磁性シール材２０は、樹脂製で、第１マグネット１０を、少なくとも下面と戸尻側端面を露出状態で保持する形状に成形されてなる。また、同じ取付板部１ａには、引き寄せ移動範囲Ｅを規定する反対の引き寄せ停止位置近くで、戸先側端部を一部下向きに切り曲げて、ばね掛け片１ｅを形成している。そして、固定磁性片１ｄに第１マグネット１０を吸着状態で、磁性シール材２０とばね掛け片１ｅ間に圧縮コイルばねの付勢ばね２１を掛け渡し、第１マグネット１０を引き寄せる閉方向への付勢力を蓄えた伸張状態としてなる。
【００２７】
一方、インナーレール２には、上記したと同様、取付部２ａの戸先側端部内に、第１マグネット１０と略同形状の第２マグネット１２を嵌め込んで上向きに固持している。
【００２８】
さて、上述したスライドレール装置Ｒ´では、引戸Ｄが閉方向へスライドし、図９および図１２に示すように閉位置へ近づいたとき、インナーレール２上の第２マグネット１２が引き寄せ開始位置に到達すると、図１３および図１４に示すように、両マグネット１０・１２が吸着し合い、互いの吸着力で、第１マグネット１０を固定磁性片１ｄから引き離す。すると、第１マグネット１０は、付勢ばね２１の引き寄せ方向の付勢力によって、第２マグネット１２と吸着状態のまま、磁性シール材２０を介して取付板部１ａの下面を摺動しながら、引き寄せられる。すると、これに従ってインナーレール２は、引き寄せ開始位置から勢いよく引き寄せ移動範囲Ｅを閉方向へ移動し、引戸Ｄを閉位置へと引き寄せる。そして、引戸Ｄは、図１５および図１６に示すように、付勢ばね２１の圧縮作用により衝突の衝撃を緩衝されて、戸枠１５にソフトに当たって閉止する。
【００２９】
従って、スライドレール装置Ｒ´では、閉止間際に、引戸Ｄに引き寄せ開始位置から、引き寄せ作用を働かせることにより、引戸を戸枠１５に当るまで半ば強制的に閉止させる。その結果、引戸Ｄが中途半端に半開きの開け放し状態になったりすることがなく、常に確実に閉止することができる。そして閉止後、スライドレール装置Ｒ´においても、アウターレール１に対しインナーレール２を互いのマグネット１０・１２で吸着して連結し、引戸Ｄを閉位置のまま保持する。
【００３０】
従って、引戸Ｄを閉止したとき、戸枠１５から反動で引戸Ｄがはね返って戻ったり、閉止後の引戸周りの傾斜が原因して自重で戻ったりする弊害の発生も防止される。
【００３１】
なお、スライドレール装置Ｒ´は、レール体ｒ内の戸先側端部に引き寄せ機構Ｂを組み込んだ構成であった。しかし、本発明は、レール体ｒ内の戸先側と戸尻側の両端部に、同じ引き寄せ機構Ｂを組み込む構成とし、引戸Ｄが開方向へ移動して開位置に近づいたときは、引戸Ｄを引き寄せて強制的に移動させ、常に引戸を戸枠１５に当るまで確実に全開させることもできる。勿論、レール体ｒ内の戸尻側端部にのみ引き寄せ機構Ｂを組み込むこともできる。
【００３２】
また、以上の実施例では、スライドレール装置Ｒに制動機構Ａのみを備え、一方、スライドレール装置Ｒ´に引き寄せ機構Ｂのみを備えた例を示した。しかし、本発明は、同じレール体ｒの戸先側又は戸尻側の端部に、必要に応じて、制動機構Ａと引き寄せ機構Ｂを適宜選択的に組み込んで構成することもできる。
【産業上の利用可能性】
【００３３】
本発明は、上吊り引戸のほか、スライドレールを用いてスライド移動させるとき、操作者が指を詰めたりする事故の発生を阻止したり、閉止後に反動ではね返って戻ったり、傾斜が原因で自重で戻ったり、中途半端に開け放し状態になったりする弊害の発生を防止することが不可欠な各種の開閉手段など、他の用途に広く適用することができる。
【図面の簡単な説明】
【００３４】
【図１】スライドレール装置を備える引戸構造体の組立斜視図である。（実施例１）
【図２】引戸構造体の分解斜視図である。
【図３】引戸構造体の端面図である。
【図４】引戸構造体の縦断面図である。
【図５】引戸が制動開始位置にある引戸構造体の斜視図である。
【図６】引戸が制動開始位置にある引戸構造体の縦断面図である。
【図７】引戸が閉止状態にある引戸構造体を示す斜視図である。
【図８】引戸が閉止状態にある引戸構造体を示す縦断面図である。
【図９】他のスライドレール装置を備える引戸構造体の組立斜視図である。
【図１０】他のスライドレール装置を備える引戸構造体の分解斜視図である。
【図１１】他のスライドレール装置を備える引戸構造体の端面図である。
【図１２】他のスライドレール装置を備える引戸構造体の縦断面図である。
【図１３】引戸が引き寄せ開始位置にある他のスライドレール装置を備えた引戸構造体を示す斜視図である。
【図１４】引戸が引き寄せ開始位置にある他のスライドレール装置を備えた引戸構造体を示す縦断面図である。
【図１５】引戸が閉止状態にある他のスライドレール装置を備えた引戸構造体を示す斜視図である。
【図１６】引戸が閉止状態にある他のスライドレール装置を備えた引戸構造体を示す縦断面図である。
【符号の説明】
【００３５】
Ａ          制動機構
Ｂ          引き寄せ機構
Ｄ          引戸
Ｒ・Ｒ´    スライドレール装置
ｒ          レール体
１          アウターレール
１ｃ        磁性ストッパ片
１ｄ        固定磁性片
２          インナーレール
３          ボールリテーナ
６          ボール
１０        第１マグネット
１２        第２マグネット
２０        磁性シール材
２１        付勢ばね
【図１】
0003704136.tif 000002
【図２】
0003704136.tif 000003
【図３】
0003704136.tif 000004
【図４】
0003704136.tif 000005
【図５】
0003704136.tif 000006
【図６】
0003704136.tif 000007
【図７】
0003704136.tif 000008
【図８】
0003704136.tif 000009
【図９】
0003704136.tif 000010
【図１０】
0003704136.tif 000011
【図１１】
0003704136.tif 000012
【図１２】
0003704136.tif 000013
【図１３】
0003704136.tif 000014
【図１４】
0003704136.tif 000015
【図１５】
0003704136.tif 000016
【図１６】
0003704136.tif 000017